(57)【要約】【課題】未だ見癖がついていない新しい書籍などでも、見開き状態から閉じた状態に戻ってしまうことがなく、またよりコンパクトな状態にしたものとし、さらに書籍が浮き上がることなく、読書しにくくなったり、書籍が見にくくなることのない書籍のページ押さえ具を提供する。【解決手段】長尺体１の両端の上側に、見開き状態の書籍Ｂの両開放端Ｂａの挟持体２を設けたものとしている。さらに、長尺体１の両端の上側に、見開き状態の書籍Ｂの両開放端Ｂａの挟持体２を設け、長尺体１の両端の下側に、書見台Ｒの両端部Ｒａへの保持体６を設けたものとすることができる。【選択図】        図１３
2004358868.tif 000002
【特許請求の範囲】
【請求項１】
長尺体（１）の両端の上側に、見開き状態の書籍（Ｂ）の両開放端（Ｂａ）の挟持体（２）を設けたことを特徴とする書籍のページ押さえ具。
【請求項２】
長尺体（１）の両端の上側に、見開き状態の書籍（Ｂ）の両開放端（Ｂａ）の挟持体（２）を設け、長尺体（１）の両端の下側に、書見台（Ｒ）の両端部（Ｒａ）への保持体（６）を設けたことを特徴とする書籍のページ押さえ具。
【請求項３】
前記挟持体（２、２）間の距離を調節自在としたことを特徴とする請求項１または２記載の書籍のページ押さえ具。
【請求項４】
前記挟持体（２、２）に挟持部（８ａ、８ａ）を設けたものとし、これら挟持部（８ａ、８ａ）間の距離を調節自在としたことを特徴とする請求項１または２記載の書籍のページ押さえ具。
【請求項５】
前記挟持体（２、２）間および保持体（６、６）間の距離をそれぞれ調節自在としたことを特徴とする請求項２記載の書籍のページ押さえ具。
【請求項６】
前記挟持体（２、２）に挟持部（８ａ、８ａ）を設けたものとし、前記保持体（６、６）に保持部（９ａ、９ａ）を設けたものとし、これら挟持部（８ａ、８ａ）間の距離および保持部（９ａ、９ａ）間の距離をそれぞれ調節自在としたことを特徴とする請求項２記載の書籍のページ押さえ具。
【発明の詳細な説明】
【０００１】
【発明の属する技術分野】
この発明は、読書をする場合や書籍を参考資料として見る場合などに、その書籍を見開き状態に広げておくのに使用する書籍のページ押さえ具に関するものである。
【０００２】
【従来の技術】
従来、書籍を見開き状態に広げておく道具としては、書見台が存在する。書見台は、例えば図２６に示したように、書籍載せ板１１と底板１２と支え板１３からなり、書籍載せ板１１と底板１２とはその一端１１ａ、１２ａどうしを蝶番（図示せず）を使用して回動自在に連結したものとし、書籍載せ板１１と底板１２のそれぞれの他端１１ｂ、１２ｂ寄りを支え板１３で支持することにより、書籍載せ板１１を底板１２の上方に適宜角度に立て掛けておけるようにしている。そして、書籍載せ板１１の一端１１ａ寄りには、書籍止め１４を設けたものとしている。さらに、前記支え板１３は、書籍載せ板１１の他端１１ｂ寄り、底板１２の１２ｂ寄りに取り付けられた係止部材１５ａ、１５ｂに、その上下端をそれぞれ係止することにより、書籍載せ板１１と底板１２のそれぞれの他端１１ｂ、１２ｂ寄りを支持している。そのため、前記支え板１３は、書籍載せ板１１と底板１２から取り外すことができ、この支え板１３を取り外した状態では、一端１１ａ、１２ｂどうしを回動自在として連結した前記書籍載せ板１１と底板１２とを重ねて、書見台を使用しないときにはコンパクトな状態に折り畳んでおくことができるようにしている（特許文献１参照）。
【０００３】
また、書見台は、例えば図２７に示したように、書籍を載せるための平板２１の上部の裏側に開閉可能板２２を取り付けたものとし、この開閉可能板２２を開いた状態で平板２１の上に書籍を載せ、見開き状態に広げた書籍の下端を左右二個のページ保持具２３に接する構造としている。さらに、これらページ保持具２３には、それぞれページ保持爪２４を取り付けたものとしている。そのため、この書見台は、前記ページ保持具２３を左右にスライドさせ、ページ保持爪２４を上下にスライドさせることにより色々な大きさや厚さの書籍にも対応できるようにしている（特許文献２参照）。
【０００４】
【特許文献１】
実用新案登録第３０６５６８６号公報（第２頁、図４、図６）
【特許文献２】
特開平１０−２２５３２７号公報（第２頁、図１）
【０００５】
【発明が解決しようとする課題】
しかしながら、図２６に示された書見台によれば、見開き状態にした書籍の背表紙を書籍載せ板１１に載せ、その書籍の下端部を書籍止め１４に置いているだけであるので、未だ見癖がついていない新しい書籍などでは、見開き状態から閉じた状態に戻ってしまうという問題点を有していた。
【０００６】
また、この書見台は、使用しないときにはコンパクトな状態に折り畳んでおくことができるが、書籍載せ板１１は書籍大の大きさとしているので、書籍よりコンパクトなものになることはなく、よりコンパクトな状態に折り畳んでおくことができないという問題点を有していた。
【０００７】
さらに、図２７に示された書見台によれば、見開き状態にした書籍の背表紙を平板２１に載せ、その書籍の下端部をページ保持具２３の上に置き、さらにページ保持爪２４によって、見開き状態にした書籍の下端部のページを押さえておくことできるようにしている。そのため、この書見台では、書籍が見開き状態から閉じた状態に戻ってしまうということはないが、見開き状態にした書籍の下端部のページを押さえているだけであるので、見癖がついた書籍やそれほど厚くない書籍ではその見開き状態から戻ろうとせず、書籍が平板２１に沿ったままであるが、未だ見癖がついていない新しい書籍や分厚い書籍では、ページ保持爪２４で押さえていない書籍の上端部が見開き状態から戻ろうとして、書籍が平板２１から浮き上がり、読書しにくくなったり、書籍が見にくくなることがあるという問題点を有していた。
【０００８】
そこで、この発明は、上記従来の問題点を解決することをその課題としており、未だ見癖がついていない新しい書籍などでも、見開き状態から閉じた状態に戻ってしまうことがなく、またよりコンパクトな状態にしたものとし、さらに書籍が浮き上がることなく、読書しにくくなったり、書籍が見にくくなることのない書籍のページ押さえ具を提供することを目的としてなされたものである。
【０００９】
【課題を解決するための手段】
そのため、この発明の書籍のページ押さえ具は、長尺体１の両端の上側に、見開き状態の書籍Ｂの両開放端Ｂａの挟持体２を設けたものとしている。
【００１０】
そして、この発明の書籍のページ押さえ具は、長尺体１の両端の上側に、見開き状態の書籍Ｂの両開放端Ｂａの挟持体２を設け、長尺体１の両端の下側に、書見台Ｒの両端部Ｒａへの保持体６を設けたものとすることができる。
【００１１】
さらに、この発明の書籍のページ押さえ具は、前記挟持体２、２間の距離を調節自在とすることができる。
【００１２】
また、この発明の書籍のページ押さえ具は、前記挟持体２、２に挟持部８ａ、８ａを設けたものとし、これら挟持部８ａ、８ａ間の距離を調節自在とすることができる。
【００１３】
さらに、この発明の書籍のページ押さえ具は、前記挟持体２、２間および保持体６、６間の距離をそれぞれ調節自在とすることができる。
【００１４】
また、この発明の書籍のページ押さえ具は、前記挟持体２、２に挟持部８ａ、８ａを設けたものとし、前記保持体６、６に保持部９ａ、９ａを設けたものとし、これら挟持部８ａ、８ａ間の距離および保持部９ａ、９ａ間の距離をそれぞれ調節自在とすることができる。
【００１５】
【発明の実施の形態】
以下、この発明の書籍のページ押さえ具の実施の形態について、図面に基づいて詳細に説明する。
【００１６】
図１〜１２はこの発明の書籍のページ押さえ具のそれぞれの実施の形態を示しており、図１、２は第一実施形態、図３は第二実施形態、図４は第三実施形態、図５は第四実施形態、図６は第五実施形態、図７、８は第六実施形態、図９、１０は第七実施形態、図１１、１２は第八実施形態をそれぞれ示している。
【００１７】
図１、２に示したこの発明の書籍のページ押さえ具は、長尺体１の両端の上側に、見開き状態の書籍Ｂの両開放端Ｂａ（図１３参照）の挟持体２を設けたものとしている。
【００１８】
前記挟持体２は、長尺体１の長さ方向中央に形成された凸条部１ａに嵌まり込む凹条部３を形成した摺動兼挟持部材２ａと、この摺動兼挟持部材２ａの外方端部の上側に設けた挟持部材２ｂとからなり、これら両部材２ａ、２ｂ間に弾性部材Ｓを介し、この弾性部材Ｓの弾力により摺動兼挟持部材２ａと挟持部材２ｂの間に見開き状態の書籍Ｂの両開放端Ｂａを挟み込むようにしている。また、摺動兼挟持部材２ａは、凹条溝３に長尺体１の凸条部１ａが嵌まり込んだ状態で摺動させることにより、前記挟持体２、２間の距離を調節自在としている。
【００１９】
なお、図中の４は、長尺体１の凸条部１ａの両端に設けられた止め部材であり、挟持体２の摺動兼挟持部材２ａの凹条部３の周囲に設けられた摺動域規制溝５に嵌まり込み、前記挟持体２、２間の摺動幅を規制するようにしている。
【００２０】
図３に示したこの発明の書籍のページ押さえ具は、長尺体１の両端の上側に、見開き状態の書籍Ｂの両開放端Ｂａの挟持体２を設けたものとしている。
【００２１】
前記挟持体２は、長尺体１の長さ方向中央に形成された凹条部１ｂに嵌まり込んで、長尺体１の長さ方向に摺動自在とした摺動兼挟持部材２ａと、この摺動兼挟持部材２ａの外方端部の上側に設けた挟持部材２ｂとからなり、これら両部材２ａ、２ｂ間に弾性部材Ｓを介し、この弾性部材Ｓの弾力により摺動兼挟持部材２ａと挟持部材２ｂの間に見開き状態の書籍Ｂの両開放端Ｂａを挟み込むようにしている。また、摺動兼挟持部材２ａは、両側端を鋭角にしており、長尺体１の凹条部１ｂの両側端は、この鋭角にした両側端に合致する鋭角にして、長尺体１の凹条部１ｂに嵌まり込んだ摺動兼挟持部材２ａが、長尺体１から外れないようにしている。さらに、摺動兼挟持部材２ａは、長尺体１の凹条部１ｂに嵌まり込んだ状態で摺動させることにより、前記挟持体２、２間の距離を調節自在としている。
【００２２】
図４〜６に示したこの発明の書籍のページ押さえ具は、長尺体１の両端の上側に、見開き状態の書籍Ｂの両開放端Ｂａの挟持体２を設け、長尺体１の両端の下側に、書見台Ｒの両端部Ｒａへの保持体６を設けたものとしている。
【００２３】
前記挟持体２は、長尺体１の長さ方向中央に形成された凹条部１ｂに嵌まり込んで、長尺体１の長さ方向に摺動自在とした摺動兼挟持部材２ａと、この摺動兼挟持部材２ａの外方端部の上側に設けた挟持部材２ｂとからなり、これら両部材２ａ、２ｂ間に弾性部材Ｓを介し、この弾性部材Ｓの弾力により摺動兼挟持部材２ａと挟持部材２ｂの間に見開き状態の書籍Ｂの両開放端Ｂａを挟み込むようにしている。また、摺動兼挟持部材２ａは、両側端を鋭角にするなどしており、長尺体１の凹条部１ｂの両側端は、この鋭角にした両側端に合致する鋭角にするなどして、長尺体１の凹条部１ｂに嵌まり込んだ摺動兼挟持部材２ａが、長尺体１から外れないようにしている。さらに、摺動兼挟持部材２ａは、長尺体１の凹条部１ｂに嵌まり込んだ状態で摺動させることにより、前記挟持体２、２間の距離を調節自在としている。
【００２４】
前記保持体６は、図４に示した実施形態では、長尺体１の両端の下側に断面略Ｌ字状の保持部６ａを形成し、この保持部６ａと長尺体１の両端の間に書見台Ｒの両端部Ｒａを保持するようにしている。さらに、前記保持体６は、図５に示した実施形態では、長尺体１の両端の下側に取り付けた挟持部材６ｂと、この長尺体１の両端の下側との間に弾性部材（図示せず）を介し、この弾性部材の弾力により長尺体１の両端と挟持部材６ｂの間に書見台Ｒの両端部Ｒａを挟み込むようにして保持するようにしている。また、前記保持体６は、図６に示した実施形態では、長尺体１の両端の下側に垂下部６ｃを形成し、この垂下部６ｃの内側に磁石Ｍを設け、一方、書見台Ｒの両端部Ｒａの側面には長尺金属板７（図１７参照）を設けておき、この保持体６の垂下部６ｃに設けた磁石Ｍが書見台Ｒの両端部Ｒａの側面の長尺金属板７に引っ付くようにして、書見台Ｒの両端部Ｒａを保持するようにしている。
【００２５】
図７〜１２に示したこの発明の書籍のページ押さえ具は、長尺体１の両端の上側に、見開き状態の書籍Ｂの両開放端Ｂａの挟持体２を設け、長尺体１の両端の下側に、書見台Ｒの両端部Ｒａへの保持体６を設けたものとしている。
【００２６】
前記長尺体１は、二分割体１ｃからなり、一方の分割体１ｃの両側部に形成した凹条部８ａに、他方の分割体１ｃの両側部に形成した凸条部８ｂをそれぞれ嵌め込んで、互いに摺動自在とすることにより、前記挟持体２、２間および保持体６、６間の距離をそれぞれ調節自在としている。
【００２７】
前記挟持体２は、長尺体１の分割体１ｃの長さ方向中央に形成された凹条部１ｂに嵌まり込んで、その分割体１ｃの長さ方向に摺動自在とした摺動兼挟持部材２ａと、この摺動兼挟持部材２ａの外方端部の上側に設けた挟持部材２ｂとからなり、これら両部材２ａ、２ｂ間に弾性部材Ｓを介し、この弾性部材Ｓの弾力により摺動兼挟持部材２ａと挟持部材２ｂの間に見開き状態の書籍Ｂの両開放端Ｂａを挟み込むようにしている。また、摺動兼挟持部材２ａは、両側端に凸条部を形成しており、この凸条部が分割体１ａの凹条部１ｂの両側端に形成した凹条部に嵌まり込むようにして、摺動兼挟持部材２ａが、長尺体１から外れないようにしている。さらに、摺動兼挟持部材２ａは、長尺体１の凹状部１ｂに嵌まり込んだ状態で摺動させることにより、前記挟持体２、２間の距離を調節自在としている。
【００２８】
前記保持体６は、図７、８に示した実施形態では、長尺体１の二分割体１ｃのそれぞれの両端の下側に断面略Ｌ字状の保持部６ａを形成し、この保持部６ａと長尺体１の二分割体１ｃのそれぞれの両端の間に書見台Ｒの両端部Ｒａを保持するようにしている。さらに、前記保持体６は、図９、１０に示した実施形態では、長尺体１の二分割体１ｃのそれぞれの両端の下側に取り付けた挟持部材６ｂと、この長尺体１の二分割体１ｃのそれぞれの両端の下側との間に弾性部材（図示せず）を介し、この弾性部材の弾力により長尺体１の両端と挟持部材６ｂの間に書見台Ｒの両端部Ｒａを挟み込むようにして保持するようにしている。また、前記保持体６は、図１１、１２に示した実施形態では、長尺体１の二分割体１ｃのそれぞれの両端の下側に垂下部６ｃを形成し、この垂下部６ｃに内側に磁石Ｍを設け、一方、書見台Ｒの両端部Ｒａの側面には長尺金属板７（図２０参照）を設けておき、この保持体６の垂下部６ｃに設けた磁石Ｍが書見台Ｒの両端部Ｒａの側面の長尺金属板７に引っ付くようにして、書見台Ｒの両端部Ｒａを保持するようにしている。
【００２９】
そこで、図１〜３に示したこの発明の書籍のページ押さえ具は、図１３、１４に示したように、長尺体１の両端の上側に設けた挟持体２、２間の距離を調節して、見開き状態の書籍Ｂの両開放端Ｂａ間の長さに合わせる。次に、その見開き状態の書籍Ｂの両開放端Ｂａの中央部辺りをそれぞれ挟持体２により挟持する。
【００３０】
このようにすると、見開き状態の書籍Ｂの背は、長尺体１に当たり、この長尺体１に押さえられて浮き上がることがなく、書籍Ｂの両開放端Ｂａは、その中央部辺りをそれぞれ挟持体２により挟持されることにより、安定した見開き状態となり、書籍Ｂの上端部や下端部がその見開き状態から戻ろうとすることがなくなる。
【００３１】
図４〜６に示したこの発明の書籍のページ押さえ具は、図１５〜１７に示したように、長尺体１の両端の上側に設けた挟持体２、２間の距離を調節して、見開き状態の書籍Ｂの両開放端Ｂａ間の長さに合わせる。次に、その見開き状態の書籍Ｂの両開放端Ｂａの中央部辺りをそれぞれ挟持体２により挟持する。そして、この状態の書籍Ｂを持ち上げて、長尺体１の両端の下側に設けた保持体６をそれぞれ書見台Ｒの両端部Ｒａに保持し、書籍Ｂの下端部を書見台Ｒの書籍載せ部Ｒｂに載せる。なお、この発明の書籍のページ押さえ具は、前記書籍Ｂの両開放端Ｂａを挟持する前に、書見台Ｒの両端部Ｒａに保持しておくこともできる。
【００３２】
このようにすると、見開き状態の書籍Ｂの背は、長尺体１に当たり、この長尺体１に押さえられて浮き上がることがなく、書籍Ｂの両開放端Ｂａは、その中央部辺りをそれぞれ挟持体２により挟持されることにより、安定した見開き状態となり、書籍Ｂの上端部や下端部がその見開き状態から戻ろうとすることはない。また、書籍Ｂは、書見台Ｒに安定した状態で保持され、書見台Ｒから落下するようなこともなくなる。
【００３３】
図７〜１２に示したこの発明の書籍のページ押さえ具は、図１８〜２０に示したように、長尺体１の下側に設けた保持体６、６間の距離を調節して、書見台Ｒの両端部Ｒａ、Ｒａ間の長さに合わせる。次に、長尺体１の両端の上側に設けた挟持体２、２間の距離を調節して、見開き状態の書籍Ｂの両開放端Ｂａ間の長さに合わせる。さらに、その見開き状態の書籍Ｂの両開放端Ｂａの中央部辺りをそれぞれ挟持体２により挟持する。そして、この状態の書籍Ｂを持ち上げて、前記保持体６をそれぞれ書見台Ｒの両端部Ｒａに保持し、書籍Ｂの下端部を書見台Ｒの書籍載せ部Ｒｂに載せる。なお、この発明の書籍のページ押さえ具は、前記書籍Ｂの両開放端Ｂａを挟持する前に、書見台Ｒの両端部Ｒａに保持しておくこともできる。
【００３４】
このようにすると、見開き状態の書籍Ｂの背は、長尺体１に当たり、この長尺体１に押さえられて浮き上がることがなく、書籍Ｂの両開放端Ｂａは、その中央部辺りをそれぞれ挟持体２により挟持されることにより、安定した見開き状態となり、書籍Ｂの上端部や下端部がその見開き状態から戻ろうとすることはない。また、書籍Ｂは、書見台Ｒに安定した状態で保持され、書見台Ｒから落下するようなこともなくなる。
【００３５】
さらに、この発明の書籍のページ押さえ具は、図２１、２２に示すような第九実施形態、図２３に示すような第十実施形態、図２４、２５に示すような第十一実施形態とすることもできる。
【００３６】
図２１、２２に示したこの発明の書籍のページ押さえ具は、長尺体１の両端の上側に、見開き状態の書籍Ｂの両開放端Ｂａの挟持体２を設けたものとしている。
【００３７】
前記挟持体２は、長尺体１の両端の上側に取り付けた挟持部材２ｂと、この長尺体１の両端の上側との間に弾性部材Ｓを介し、この弾性部材Ｓの弾力により長尺体１の両端と挟持部材２ｂ間に見開き状態の書籍Ｂの両開放端Ｂａを挟み込むようにしている。また、挟持部材２ｂは、一端を挟持部８ａとし、他端を操作部８ｂとした摺動部材８を設けたものとし、操作部８ｂを操作してこの摺動部材８を摺動させることにより、前記挟持体２、２の挟持部８ａ、８ａ間の距離を調節自在としている。
【００３８】
このようにしたこの発明の書籍のページ押さえ具は、前記挟持体２、２の挟持部８ａ、８ａ間の距離を調節して、見開き状態の書籍Ｂの両開放端Ｂａ間の長さに合わせる。次に、その見開き状態の書籍Ｂの両開放端Ｂａの中央部辺りをそれぞれ挟持体２の挟持部８ａにより挟持する。
【００３９】
このようにすると、見開き状態の書籍Ｂの背は、長尺体１に当たり、この長尺体１に押さえられて浮き上がることがなく、書籍Ｂの両開放端Ｂａは、その中央部辺りをそれぞれ挟持体２の挟持部８ａにより挟持されることにより、安定した見開き状態となり、書籍Ｂの上端部や下端部がその見開き状態から戻ろうとすることがなくなる。
【００４０】
図２３〜２５に示したこの発明の書籍のページ押さえ具は、長尺体１の両端の上側に、見開き状態の書籍Ｂの両開放端Ｂａの挟持体２を設け、長尺体１の両端の下側に、書見台Ｒの両端部Ｒａへの保持体６を設けたものとしている。
【００４１】
前記挟持体２は、長尺体１の両端の上側に取り付けた挟持部材２ｂと、この長尺体１の両端の上側との間に弾性部材Ｓを介し、この弾性部材Ｓの弾力により長尺体１の両端と挟持部材２ｂ間に見開き状態の書籍Ｂの両開放端Ｂａを挟み込むようにしている。また、挟持部材２ｂは、一端を挟持部８ａとし、他端を操作部８ｂとした摺動部材８を設けたものとし、操作部８ｂを操作してこの摺動部材８を摺動させることにより、前記挟持体２、２の挟持部８ａ、８ａ間の距離を調節自在としている。
【００４２】
前記保持体６は、図２３に示した実施形態では、長尺体１の両端の下側に取り付けた保持部材６ｄと、この長尺体１の両端の下側との間に弾性部材Ｓを介し、この弾性部材Ｓの弾力により長尺体１の両端と保持部材６ｄ間に書見台Ｒの両端部Ｒａを挟み込むようにして保持するようにしている。また、前記保持体６は、図２４、２５に示した実施形態では、長尺体１の両端の下側に取り付けた保持部材６ｄと、この長尺体１の両端の下側との間に弾性部材Ｓを介し、この弾性部材Ｓの弾力により長尺体１の両端と保持部材６ｄ間に書見台Ｒの両端部Ｒａを挟み込むようにして保持するようにしている。また、保持部材６ｄは、一端を保持部９ａとし、他端を操作部９ｂとした摺動部材９を設けたものとし、操作部９ｂを操作してこの摺動部材９を摺動させることにより、前記保持体６、６の保持部９ａ、９ａ間の距離を調節自在としている。
【００４３】
図２３に示したこの発明の書籍のページ押さえ具は、長尺体１の両端の上側に設けた挟持体２、２の挟持部８ａ、８ａ間の距離を調節して、見開き状態の書籍Ｂの両開放端Ｂａ間の長さに合わせる。次に、その見開き状態の書籍Ｂの両開放端Ｂａの中央部辺りをそれぞれ挟持体２の挟持部８ａにより挟持する。そして、この状態の書籍Ｂを持ち上げて、長尺体１の両端の下側に設けた保持体６をそれぞれ書見台Ｒの両端部Ｒａに保持し、書籍Ｂの下端部を書見台Ｒの書籍載せ部Ｒｂに載せる。なお、この発明の書籍のページ押さえ具は、前記書籍Ｂの両開放端Ｂａを挟持する前に、書見台Ｒの両端部Ｒａに保持しておくこともできる。
【００４４】
このようにすると、見開き状態の書籍Ｂの背は、長尺体１に当たり、この長尺体１に押さえられて浮き上がることがなく、書籍Ｂの両開放端Ｂａは、その中央部辺りをそれぞれ挟持体２の挟持部８ａにより挟持されることにより、安定した見開き状態となり、書籍Ｂの上端部や下端部がその見開き状態から戻ろうとすることはない。また、書籍Ｂは、書見台Ｒに安定した状態で保持され、書見台Ｒから落下するようなこともなくなる。
【００４５】
図２４、２５に示したこの発明の書籍のページ押さえ具は、長尺体１の下側に設けた保持体６、６の保持部９ａ、９ａ間の距離を調節して、書見台Ｒの両端部Ｒａ、Ｒａ間の長さに合わせる。次に、長尺体１の両端の上側に設けた挟持体２、２の挟持部８ａ、８ａ間の距離を調節して、見開き状態の書籍Ｂの両開放端Ｂａ間の長さに合わせる。さらに、その見開き状態の書籍Ｂの両開放端Ｂａの中央部辺りをそれぞれ挟持体２の挟持部８ａにより挟持する。そして、この状態の書籍Ｂを持ち上げて、前記保持体６をそれぞれ書見台Ｒの両端部Ｒａに保持し、書籍Ｂの下端部を書見台Ｒの書籍載せ部Ｒｂに載せる。なお、この発明の書籍のページ押さえ具は、前記書籍Ｂの両開放端Ｂａを挟持する前に、書見台Ｒの両端部Ｒａに保持しておくこともできる。
【００４６】
このようにすると、見開き状態の書籍Ｂの背は、長尺体１に当たり、この長尺体１に押さえられて浮き上がることがなく、書籍Ｂの両開放端Ｂａは、その中央部辺りをそれぞれ挟持体２の挟持部８ａにより挟持されることにより、安定した見開き状態となり、書籍Ｂの上端部や下端部がその見開き状態から戻ろうとすることはない。また、書籍Ｂは、書見台Ｒに安定した状態で保持され、書見台Ｒから落下するようなこともなくなる。
【００４７】
【発明の効果】
この発明の書籍のページ押さえ具は、以上に述べたように構成されているので、未だ見癖がついていない新しい書籍などでも、見開き状態から閉じた状態に戻ってしまうことがなく、またよりコンパクトな状態にしたものとし、さらに書籍が浮き上がることなく、読書しにくくなったり、書籍が見にくくなることのないものとなる。
【図面の簡単な説明】
【図１】この発明の書籍のページ押さえ具の第一実施形態を示す斜視図であり、挟持体間の距離を長くした状態を示している。
【図２】この発明の書籍のページ押さえ具の第一実施形態を示す斜視図であり、挟持体間の距離を短くした状態を示している。
【図３】この発明の書籍のページ押さえ具の第二実施形態を示す斜視図であり、挟持体間の距離を長くした状態を示している。
【図４】この発明の書籍のページ押さえ具の第三実施形態を示す斜視図であり、挟持体間の距離を長くした状態を示している。
【図５】この発明の書籍のページ押さえ具の第四実施形態を示す斜視図であり、挟持体間の距離を長くした状態を示している。
【図６】この発明の書籍のページ押さえ具の第五実施形態を示す斜視図であり、挟持体間の距離を長くした状態を示している。
【図７】この発明の書籍のページ押さえ具の第六実施形態を示す斜視図であり、保持体間の距離を長くした状態を示している。
【図８】この発明の書籍のページ押さえ具の第六実施形態を示す斜視図であり、保持体間の距離を短くした状態を示している。
【図９】この発明の書籍のページ押さえ具の第七実施形態を示す斜視図であり、保持体間の距離を長くした状態を示している。
【図１０】この発明の書籍のページ押さえ具の第七実施形態を示す斜視図であり、保持体間の距離を短くした状態を示している。
【図１１】この発明の書籍のページ押さえ具の第八実施形態を示す斜視図であり、保持体間の距離を長くした状態を示している。
【図１２】この発明の書籍のページ押さえ具の第八実施形態を示す斜視図であり、保持体間の距離を短くした状態を示している。
【図１３】この発明の書籍のページ押さえ具の第一実施形態の使用状態を示す斜視図である。
【図１４】この発明の書籍のページ押さえ具の第二実施形態の使用状態を示す斜視図である。
【図１５】この発明の書籍のページ押さえ具の第三実施形態の使用状態を示す斜視図である。
【図１６】この発明の書籍のページ押さえ具の第四実施形態の使用状態を示す斜視図である。
【図１７】この発明の書籍のページ押さえ具の第五実施形態の使用状態を示す斜視図である。
【図１８】この発明の書籍のページ押さえ具の第六実施形態の使用状態を示す斜視図である。
【図１９】この発明の書籍のページ押さえ具の第七実施形態の使用状態を示す斜視図である。
【図２０】この発明の書籍のページ押さえ具の第八実施形態の使用状態を示す斜視図である。
【図２１】この発明の書籍のページ押さえ具の第九実施形態を示す側面図であり、挟持体の挟持部間の距離を長くした状態を示している。
【図２２】この発明の書籍のページ押さえ具の第九実施形態を示す側面図であり、挟持体の挟持部間の距離を短くした状態を示している。
【図２３】この発明の書籍のページ押さえ具の第十実施形態を示す側面図であり、挟持体の挟持部間の距離を長くした状態を示している。
【図２４】この発明の書籍のページ押さえ具の第十一実施形態を示す側面図であり、挟持体の挟持部間の距離を長くし、保持体の保持部間の距離を長くした状態を示している。
【図２５】この発明の書籍のページ押さえ具の第十一実施形態を示す側面図であり、挟持体の挟持部間の距離を長くし、保持体の保持部間の距離を短くした状態を示している。
【図２６】従来の書見台の一例を示す斜視図である。
【図２７】従来の書見台の他の例を示す斜視図である。
【符号の説明】
１  長尺体
２  挟持体
６  保持体
８ａ  挟持部
９ａ  保持部
Ｂ  書籍
Ｂａ  開放端
Ｒ  書見台
Ｒａ  端部
【図１】
2004358868.tif 000003
【図２】
2004358868.tif 000004
【図３】
2004358868.tif 000005
【図４】
2004358868.tif 000006
【図５】
2004358868.tif 000007
【図６】
2004358868.tif 000008
【図７】
2004358868.tif 000009
【図８】
2004358868.tif 000010
【図９】
2004358868.tif 000011
【図１０】
2004358868.tif 000012
【図１１】
2004358868.tif 000013
【図１２】
2004358868.tif 000014
【図１３】
2004358868.tif 000015
【図１４】
2004358868.tif 000016
【図１５】
2004358868.tif 000017
【図１６】
2004358868.tif 000018
【図１７】
2004358868.tif 000019
【図１８】
2004358868.tif 000020
【図１９】
2004358868.tif 000021
【図２０】
2004358868.tif 000022
【図２１】
2004358868.tif 000023
【図２２】
2004358868.tif 000024
【図２３】
2004358868.tif 000025
【図２４】
2004358868.tif 000026
【図２５】
2004358868.tif 000027
【図２６】
2004358868.tif 000028
【図２７】
2004358868.tif 000029